(57)【要約】      （修正有）【課題】体脂肪の中でも皮下脂肪に注目し、皮下脂肪部が吸引器内に吸引された状態において、皮下脂肪部の先端部分に対して刺激を加える方法により脂肪減少効果を促し、即効性と確実性があり簡易的に実施が可能な皮下脂肪減少器具を提供する。【解決手段】本体となる筐体１内に、減圧により皮下脂肪部を吸引する皮下脂肪減少装置において、筐体１内に回転体２を設け、回転体２が反復回動することで、吸引された皮下脂肪部に刺激を加える。【選択図】図２
2015043854.tif 000002
【特許請求の範囲】
【請求項１】
本体となる筐体内に、減圧により皮下脂肪部を吸引する皮下脂肪減少装置において、筐体内に回転体を設け、前記回転体が反復回動することで、吸引された皮下脂肪部に刺激を加えることを特徴とする皮下脂肪減少装置。
【請求項２】
前記回転体をカップ状に形成し、回転体の内面であって皮膚に接する面に突起部を設けたことを特徴とする請求項１に記載の皮下脂肪減少装置。
【請求項３】
前記回転体を平板状に形成し、１以上の導入孔を設けたことを特徴とする請求項１に記載の皮下脂肪減少装置。
【請求項４】
前記回転体を平板状に形成し、１以上の球体を設けたことを特徴とする請求項１に記載の皮下脂肪減少装置。
【請求項５】
前記回転体に筐体内を減圧する減圧孔を設けることを特徴とする請求項１または２に記載の皮下脂肪減少装置。
【請求項６】
前記突起部に代えて突起体を設け、前記突起体を平板状に形成し、１以上の導入孔を設けたことを特徴とする請求項５に記載の皮下脂肪減少装置。
【請求項７】
前記突起部に代えて突起体を設け、前記突起体を平板状に形成し、１以上の球体を設けたことを特徴とする請求項５に記載の皮下脂肪減少装置。
【請求項８】
前記回転体の皮膚に接する面に、電極パットを設け、前記電極パットから電磁波等による電気的刺激を回転刺激と併せて加えることを特徴とする請求項１から５いずれか１項に記載の皮下脂肪減少装置。
【請求項９】
前記突起体の皮膚に接する面に、電極パットを設け、前記電極パットから電磁波等による電気的刺激を回転刺激と併せて加えることを特徴とする請求項６または７に記載の皮下脂肪減少装置。
【発明の詳細な説明】
【技術分野】
【０００１】
本発明は体脂肪を燃焼させ、効果的に皮下脂肪を減少させる、皮下脂肪減少装置に関する。
【背景技術】
【０００２】
体内脂肪を減少させる美容器具はこれまで様々なものが開発されている。代表的なものとしては、吸引器となる本体の吸引口を体に押し当て、本体内部を減圧することで、脂肪を吸引し脂肪の減少を促進する器具がある。
【０００３】
しかしながら、脂肪を効率よく減少させるためには、脂肪部を吸引するだけでは脂肪減少効果が充分ではないことから、例えば、特許第３４２５０７６号において、脂肪を吸引する本体に可撓性を持たせることで、本体内部の減圧により皮下脂肪を吸引し、更に本体が変形することで、吸引した脂肪を横方向から押圧することで、体脂肪を散逸させる技術が記載されているが、減圧により本体を変形させることは、押圧力の調整等が困難であることが予想され、その効果も充分でないことが推定される。
【先行技術文献】
【特許文献】
【０００４】
【特許文献１】特許第３４２５０７６号（明細書０００７〜００１３、図８）
【発明の概要】
【発明が解決しようとする課題】
【０００５】
本発明者は、皮膚を温め（４２度が理想的）て、吸引しながら皮下脂肪を掴んで左右に捻ると、刺激により脂肪分解を起こし、直ぐに有酸素運動をすれば血中に出て来た遊離脂肪酸は、エネルギー源として働き脂肪が減少することを知見し、体脂肪の中でも皮下脂肪に注目し、皮下脂肪部が吸引器内に吸引された状態において、皮下脂肪部の先端部分に対して刺激を加えることにより脂肪分解効果を促し、即効性と確実性があり簡易的に実施が可能な皮下脂肪分解装置を提供することを課題とする。
【課題を解決するための手段】
【０００６】
本発明は、本体となる筐体内に、減圧により皮下脂肪部を吸引する皮下脂肪分解装置において、筐体内に回転体を設け、前記回転体が反復回動することで、吸引された皮下脂肪部に捻りなどの刺激を加えることを特徴とする。
【０００７】
また、前記回転体の内面であって皮膚に接する面に突起部などを設け、前記突起部が吸引した皮下脂肪部に押圧刺激を加えることを特徴とする。
【０００８】
更には、前記回転体に筐体内を減圧する減圧孔を設けることで、吸引された体脂肪部が、回転体内面に吸着されることを特徴とする。
【０００９】
前記回転体の内面であって皮膚に接する面に、電極パットを設け、前記電極パットから電磁波等による電気的刺激を回転刺激と併せて加えることを特徴とする。
【発明の効果】
【００１０】
皮膚を温めて（４２度が理想的）、吸引しながら皮下脂肪を掴んで左右に捻ると、刺激により脂肪分解を起こし、直ぐに有酸素運動をすれば血中に出て来た遊離脂肪酸は、エネルギー源として働き脂肪が減少することから、筐体内への吸引による皮下脂肪減少効果と、回転体による吸引した皮下脂肪部を捻る刺激との組合せにより、効果的に脂肪分解を図り、継続使用により皮下脂肪が減少される。筐体内に吸引された状態の皮下脂肪部に対して、先端部分を捻る、押すなどの刺激を加えることで効果的に脂肪分解を図ることができる。特に腹部の皮下脂肪を減少させると、全身の脂肪減少につながることが試験等で判明している。
【００１１】
回転体に筐体内を減圧する減圧孔を設けることで、吸引された皮下脂肪部が回転体に密着し、回転体の回動に皮下脂肪部が追従することで、皮下脂肪部が捻られマッサージ効果が得られる。前記回転体の皮膚に接する面に、突起部などを設けることで、皮下脂肪部に押圧刺激を加えることもでき、更にマッサージ効果が助長される。
【００１２】
電磁波等の電気的刺激を回転刺激と併せて加えることで、より効果の高い皮下脂肪分解を図ることができ、皮下脂肪が減少される。
【図面の簡単な説明】
【００１３】
【図１】本体の一例の３面図
【図２】Ａ−Ｂ断面図
【図３】回転体別例のＡ−Ｂ断面図
【図４】使用状態を示す模式の断面図
【図５】回転体の一例の３面図
【図６】突起体の一例の３面図
【図７】突起体の別例の３面図
【図８】電極等を設けた状態の一例の断面図
【図９】Ａ−Ｂ断面図
【図１０】使用状態を示す模式の断面図
【図１１】使用状態を示す模式の断面図
【図１２】回転体の一例の３面図
【図１３】突起体の一例の３面図
【図１４】突起体の別例の３面図
【図１５】電極等を設けた状態の一例の断面図
【発明を実施するための最良の形態】
【００１４】
本発明の構成について、実施例を基に図面を引用して説明する。
【実施例１】
【００１５】
本体に用いる筐体１には、例えば、図１に示すようなカップ型や円筒形状のものを用い、筐体の横断面が円形又は楕円形であることが望ましい。本体内部を上下に仕切るように基板９を設け、仕切られた下方部を脂肪吸引部とする。基板９は、基板と本体との接合部において、空気が漏れないよう密閉されることが望ましい。
【００１６】
前記基板９の中心部には、回転体２を保持する軸３を回動可能に取り付け、軸３の先端には回転体２設け、基板９の上面であって軸３の元には回転体２を回動させるための駆動部５を設ける。軸３を回動可能に取り付ける方法としては、ベアリングを利用するなど、摺動性のよいものを用いるとよい。駆動部５には、駆動源としてのモータ、及び動力伝達手段として、遊星歯車やギアモジュールなどを用い、軸３と連結する。
【００１７】
回転体２は左右に反復回動させる。例えば、原点から右に角度として３０度回転させ、そこから反対に左回転させて、原点を通過し更に左へ角度として３０度まで回転させることを繰り返す。ここでの角度は、小さいと効果が期待できず、大きいと皮膚などに損傷を来す可能性があり、片側２０度から４５度の範囲内が望ましい。反復回動の制御は、プログラムによる制御やセンサーを用いて回転方向を制御するなどの方法がある。
【００１８】
基板９の上部には脂肪吸引部を減圧する真空ポンプ４を設け、基板９の一部に減圧孔７を設ける。真空ポンプには、例えばダイヤフラムポンプなどが利用できる。本体天面には空気排出孔を兼ねた電源供給部８を設ける。これら部品の配置例は図２を参照されたい。真空ポンプによる減圧に強弱をつけ、皮下脂肪部を強めに吸引後、減圧を緩めて戻したりすることで皮下脂肪部に刺激を加えたり、減圧の強弱を選択できるようにしてもよい。また、減圧孔７には、異物などを除去するためのフィルターを設けてもよい。
【００１９】
本体の開口部を例えば腹部に当て、真空ホンプ４により本体の脂肪吸引部が減圧されると、皮下脂肪部が脂肪吸引部内に吸引される。更に減圧を続けると、吸引された皮下脂肪部の先端は、図４に示すように回転体２に到達する。
【００２０】
回転体２に到達した皮下脂肪部は回転体２に密着し、皮下脂肪部が回転体２に密着された状態で、回転体２が左右に反復回動することで、皮下脂肪の先端部に刺激を加えることができる。回転体２の形状の一例としては、図２に示すようなカップ形状などを利用できるが、これに限定されるものではない。
【００２１】
本発明の皮下脂肪減少器具と、呼吸法を組み合わせて使用することで、脂肪燃焼効率が向上し、効果的な脂肪除去に繋がる。呼吸法としては腹式呼吸が望ましい。脂肪の真下の筋肉を活性化することで、その筋肉中の熱産生たんぱく質であるＵＣＰ２が活性化されることにより、脂肪細胞から分解した遊離脂肪酸はエネルギーとして燃焼し、脂肪減少に繋がる。
【実施例２】
【００２２】
図５に示すように、回転体２の内面に突起部１０を設けてもよい。吸引されて回転体２に密着した皮下脂肪部が、回転体２の回動と共に、突起部１０により押し圧刺激を加えるものである。図５は、回転体２の中心部から外側の開口部に向けて４本の突起を形成した例を示したものである。
【００２３】
図４及び図６に示すように、回転体の形状を平板状に形成し、１以上の導入孔１２を設けてもよい。吸引されて回転体に密着した皮下脂肪部が導入孔１２に引き込まれ、この状態で回転体２が反復回動することで、皮下脂肪部に刺激を加えるものである。導入孔の数や大きさは、人による皮下脂肪の性質の違いなどに合せて適宜変更すればよい。
【００２４】
また、図７に示すように、回転体の形状を平板状に形成し、１以上の球体１３を設けてもよい。球体１３の中心部に軸孔を開け、球軸１４にて回転体２に固定したもので、球軸１４を中心に球体１３は回転する。吸引された皮下脂肪部が球体１３に密着し、この状態で回転体２が反復回動することで、皮下脂肪部に押し圧刺激を加えるものである。球体１３は回転するため、回転体２の回動に合わせてローラー押し圧刺激となる。球体の数や大きさは、人による皮下脂肪の性質の違いなどに合せて適宜変更すればよい。
【実施例３】
【００２５】
回転体２の皮膚が接する面に、電磁波用の電極パット１６を設け電磁波による刺激を同時に加えるようにしてもよい。電磁波により脂肪の真下の筋肉を刺激して活性化を促すことで、より脂肪燃焼による脂肪分解が促進され、脂肪減少につながることが期待できる。電磁波の種類としては、低周波・中周波・高周波・超長波・長波・中波・短波などが利用できる。図８は電磁波を利用する場合の、電極や電磁波発生装置の配置例を示すものである。回転体２にヒーター１７を設け、熱による刺激を組み合わせることにより相乗効果が期待できる。
【００２６】
電磁波の代わりに超音波を利用してもよい。この場合は、回転体を振動させるようにすると効果的である。
【実施例４】
【００２７】
図９に示すように、基板９の中心部から軸３を回動可能に設け、軸３の先端には回転体２と回転体を回動させるためのギア６を設ける。軸３の芯部に設けた減圧孔７は、回転体２の中心部へ貫通させる。軸３を回動可能に取り付ける方法としては、ベアリングを利用するなど、摺動性のよいものを用いるとよい。軸３を基板９に回動不動に固定し、軸３の途中に回動部を設けてもよい。基板９の下面には回転体２の駆動部５を設ける。駆動部５には、駆動源としてのモータ、及び動力伝達手段として、遊星歯車やギアモジュールなどを用い、前記ギア６と連結する。
【００２８】
基板９の上面には脂肪吸引部を減圧する真空ポンプ４を設け、軸３の減圧孔７と真空ポンプ４の吸引部とを連結する。真空ポンプには、例えばダイヤフラムポンプなどが利用できる。本体天面には空気排出孔を兼ねた電源供給部８を設ける。これら部品の配置例は図９を参照されたい。真空ポンプによる減圧に強弱をつけ、皮下脂肪部を強めに吸引後、減圧を緩めて戻したりすることで皮下脂肪部に刺激を加えたり、減圧の強弱を選択できるようにしてもよい。また、減圧孔７には、異物などを除去するためのフィルターを設けてもよい。
【００２９】
本体の開口部を例えば腹部に当て、真空ホンプ４により本体の脂肪吸引部が減圧されると、図１０に示すように皮下脂肪部が脂肪吸引部内に吸引される。更に減圧を続けると、吸引された皮下脂肪部の先端は、図１１に示すように回転体２に到達する。
【００３０】
回転体に到達した皮下脂肪部は、減圧孔７を塞ぐようになり、同時に回転体２に吸着される。皮下脂肪部が回転体２に吸着された状態で、回転体２が左右に反復回動することで、皮下脂肪部に刺激を加えることができる。減圧孔７を回転体２の中心部に設けることで、皮下脂肪部が回転体２に吸着され、回転体２の反復回動に追従するようになる。
【００３１】
回転体の反復回動の方法として、ギアに代えて円盤状のターンテーブルを用い、ターンテーブルの外側にベルトを回し、ベルトをモータなどで駆動するベルトドライブ方式や、前記ターンテーブルの外周部に回転駆動用のローラーを密着させ、ローラーをモータなどで駆動するローラードライブ方式などを利用してもよい。この場合、回転の負荷が大きくなった時など、ベルトやローラーがスリップして、過剰負荷を防止することの作用もある。
【実施例５】
【００３２】
前記回転体２の内面に突起部１０を設けてもよい。吸引されて回転体２に吸着された皮下脂肪部が、回転体２の回動と共に、突起部１０により押し圧刺激を加えるものである。図１２は、回転体の中心部から外側の開口部に向けて４本の突起を形成した例を示したものである。
【００３３】
前記突起部１０に変えて、円盤状の突起体１１を回転体２の開口部に設けてもよい。吸引されて突起体１１に密着した皮下脂肪部に対し、突起体１１が刺激を加えるものである。図１３は、突起体１１に１以上の導入孔１２を設けたもので、吸引された皮下脂肪部が導入孔１２に引き込まれ、この状態で回転体２が反復回動することで、皮下脂肪部に刺激を加えるものである。導入孔の数や大きさは、人による皮下脂肪の性質の違いなどに合せて適宜変更すればよい。
【００３４】
突起体１１の別例としては、図１４に示すように、突起体１１に１以上の球体１３を取り付けたものである。球体１３の中心部に軸孔を開け、球軸１４にて突起体１１に固定したもので、球軸１４を中心に球体１３は回転する。吸引された皮下脂肪部が球体１３に密着し、この状態で回転体２が反復回動することで、皮下脂肪部に押し圧刺激を加えるものである。球体１３は回転するため、回転体２の回動に合わせてローラー押し圧刺激となる。球体の数や大きさは、人による皮下脂肪の性質の違いなどに合せて適宜変更すればよい。
【実施例６】
【００３５】
回転体２又は突起体１１の皮膚が接する面に、電磁波用の電極パット１６を設け電磁波による刺激を同時に加えるようにしてもよい。電磁波の種類としては、低周波・中周波・高周波・超長波・長波・中波・短波などが利用できる。図１５は電磁波を利用する場合の、電極や電磁波発生装置の配置例を示すものである。回転体２にヒーター１７を設け、熱による刺激を組み合わせてもよい。
【００３６】
電磁波の代わりに超音波を利用してもよい。この場合は、回転体を振動させるようにすると効果的である。
【産業上の利用可能性】
【００３７】
本発明の皮下脂肪減少器具は工業生産が可能であり、本装置を用いて美容室やエステでの利用及び提供も可能である。
【符号の説明】
【００３８】
１  筐体
２  回転体
３  軸
４  真空ポンプ
５  駆動部
６  ギア
７  減圧孔
８  空気排出孔を兼ねた電源供給部
９  基板
１０  突起部
１１  突起体
１２  導入孔
１３  球体
１４  球軸
１５  電波発生器
１６  電極パッド
１７  ヒーター
１８  固定用孔
２０  空気の流れ
３０  皮下脂肪部
【図１】
2015043854.tif 000003
【図２】
2015043854.tif 000004
【図３】
2015043854.tif 000005
【図４】
2015043854.tif 000006
【図５】
2015043854.tif 000007
【図６】
2015043854.tif 000008
【図７】
2015043854.tif 000009
【図８】
2015043854.tif 000010
【図９】
2015043854.tif 000011
【図１０】
2015043854.tif 000012
【図１１】
2015043854.tif 000013
【図１２】
2015043854.tif 000014
【図１３】
2015043854.tif 000015
【図１４】
2015043854.tif 000016
【図１５】
2015043854.tif 000017
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
本体となる筐体内に、減圧により皮下脂肪部を吸引する皮下脂肪減少装置において、筐体内にカップ状または平板状の回転体を設け、前記回転体が反復回動することで、吸引された皮下脂肪部に刺激を加えることを特徴とする皮下脂肪減少装置。
【請求項２】
前記カップ状または平板状の回転体の内面であって皮膚に接する面に突起部を設けたことを特徴とする請求項１に記載の皮下脂肪減少装置。
【請求項３】
前記平板状の回転体に、１以上の導入孔を設けたことを特徴とする請求項１に記載の皮下脂肪減少装置。
【請求項４】
前記平板状の回転体に、１以上の球体を設けたことを特徴とする請求項１に記載の皮下脂肪減少装置。
【請求項５】
前記回転体に筐体内を減圧する減圧孔を設けたことを特徴とする請求項１または２に記載の皮下脂肪減少装置。
【請求項６】
前記回転体に筐体内を減圧する減圧孔を設けると共に、カップ状の回転体の開口部に、平板状に形成して１以上の導入孔を設けた突起体を設けたことを特徴とする請求項１に記載の皮下脂肪減少装置。
【請求項７】
前記突起体の導入孔に代えて、１以上の球体を設けたことを特徴とする請求項６に記載の皮下脂肪減少装置。
【請求項８】
前記回転体の皮膚に接する面に、電極パットを設け、前記電極パットから電磁波等による電気的刺激を回転刺激と併せて加えることを特徴とする請求項１から５いずれか１項に記載の皮下脂肪減少装置。
【請求項９】
前記突起体の皮膚に接する面に、電極パットを設け、前記電極パットから電磁波等による電気的刺激を回転刺激と併せて加えることを特徴とする請求項６または７に記載の皮下脂肪減少装置。